(57)【特許請求の範囲】
【請求項１】
横受水部と縦受水部とをＬ字状に交差させて構成され、横置き型および縦置き型に兼用できるドレンパン部と、
前記ドレンパン部に受水したドレン水を前記ドレンパン部から排出する排水ソケットと、
を備え、
前記ドレンパン部の交差させた角部には、前記横受水部の受水面および前記縦受水部の受水面の両方にわたって排水口が開口され、
前記排水ソケットは、前記角部の優角側である外側にて前記排水口の全体を覆い、
前記排水ソケットは、ドレンパンが配置された対象機器を横置きまたは縦置きのどちらに設置されても前記ドレンパン部の受水面より下方に配置され、ドレン水をドレンパンが配置された対象機器の外に流出させるドレン水排出管を有し、
前記ドレン水排出管は、前記排水口に繋がる流入開口部が前記ドレンパン部の前記横受水部または前記縦受水部の受水面にそれぞれ開口する軸線方向切口部および半径方向切口部を有するドレンパン。
【請求項２】
前記排水ソケットは、前記ドレンパン部の前記横受水部または前記縦受水部にそれぞれ取り付けられる２つの座面を有し、
前記２つの座面のうち一方は、前記ドレンパン部にネジ止めにより取り付けられ、
前記２つの座面のうち他方は、前記排水口に突出する爪部を前記ドレンパン部に引っ掛けて取り付けられ、
前記ネジ止めにより取り付けられた座面側には、前記ドレン水排出管が横引きされる請求項１に記載のドレンパン。
【請求項３】
前記排水ソケットと前記ドレンパン部との間には、前記排水口と前記排水口に繋がる前記ドレン水排出管の流入開口部との周りを囲うシール部材が設けられた請求項１または２に記載のドレンパン。
【請求項４】
前記ドレンパン部には、配管を通す配管取り出し孔が設けられ、
前記配管取り出し孔の周りには、前記ドレンパン部の受水面よりも高く盛り上がったカラーが設けられた請求項１〜３のいずれか１項に記載のドレンパン。
【請求項５】
請求項１〜４のいずれか１項に記載のドレンパンを備えたドレンパンが配置される対象機器が横置きまたは縦置きに設置される冷凍サイクル装置。
【発明の詳細な説明】
【技術分野】
【０００１】
本発明は、発生した露をＬ字状のドレンパン部にてドレン水として回収し、ドレンパン部に取り付けられた排水ソケットによりドレンパン部から排出させるドレンパンおよび冷凍サイクル装置に関する。
【背景技術】
【０００２】
従来、空気調和装置などの冷凍サイクル装置では、装置内に冷たい冷媒が流れると外気との温度差により露が発生する。露によるカビの発生、部品の腐食あるいは露の装置内の垂れを防止することを目的に、露をドレン水として回収するドレンパンが配置される。
ドレンパンは、平板状の受水面にて露をドレン水として装置内に漏らすことなく回収し、装置外へと導く。【０００３】
ここで、ドレンパンには、冷凍サイクル装置の一部を構成すると共に露が発生するドレンパンが配置された対象機器を縦置きまたは横置きに設置したどちらの場合でも、ドレン水を回収して排出できるように露を受水するドレンパン部をＬ字状に交差させて構成したものが知られている。また、ドレンパンのＬ字状のドレンパン部の受水面が交差する角部近傍には、ドレンパン部にて回収したドレン水を排出する排出口を配置したものが知られている（たとえば特許文献１、２参照）。
【先行技術文献】
【特許文献】
【０００４】
【特許文献１】特開平６−１１７６６２号公報
【特許文献２】特開平６−４２７７０号公報
【発明の概要】
【発明が解決しようとする課題】
【０００５】
特許文献１では、Ｌ字状のドレンパン部の角部の露を受水する内側に排出口を形成し、ドレンパンが配置された対象機器を縦置きまたは横置きに設置したどちらの場合においても、ドレンパン部にて回収したドレン水を排出口から排出させる。
しかしながら、ドレンパン部の受水面よりも高い位置に排出口が設けられている。このため、受水面と排出口との高さ違いに起因して、排出口よりも低い位置の受水面にドレン水が排出されずに残留してしまい、ドレン水がドレンパン部から完全に排出できなかった。この場合には、ドレンパン部に残留したドレン水により、カビの発生あるいは部品の腐食といった不具合が生じるおそれがある。【０００６】
また、特許文献２では、排水口と繋がった排水部がドレンパン部の一方の受水面から延長線上に延出されている。
しかしながら、排水口の最下部がドレンパン部の受水面と１点で同じ高さに位置するものであり、排水口の大部分の高さ位置がドレンパン部の一方の受水面より上方にある。このため、受水面から排出口に流出しきれなかったドレン水が排出されずに残留してしまい、ドレン水がドレンパン部から完全に排出できなかった。この場合には、ドレンパン部に残留したドレン水により、カビの発生あるいは部品の腐食といった不具合が生じるおそれがある。【０００７】
本発明は、上記課題を解決するためのものであり、回収したドレン水がドレンパン部から完全に排出され、ドレン水がドレンパン部に残留することに起因するカビの発生あるいは部品の腐食といった不具合が防止されるドレンパンおよび冷凍サイクル装置を提供することを目的とする。
【課題を解決するための手段】
【０００８】
本発明に係るドレンパンは、横受水部と縦受水部とをＬ字状に交差させて構成され、横置き型および縦置き型に兼用できるドレンパン部と、前記ドレンパン部に受水したドレン水を前記ドレンパン部から排出する排水ソケットと、を備え、前記ドレンパン部の交差させた角部には、前記横受水部の受水面および前記縦受水部の受水面の両方にわたって排水口が開口され、前記排水ソケットは、前記角部の優角側である外側にて前記排水口の全体を覆い、前記排水ソケットは、ドレンパンが配置された対象機器を横置きまたは縦置きのどちらに設置されても前記ドレンパン部の受水面より下方に配置され、ドレン水をドレンパンが配置された対象機器の外に流出させるドレン水排出管を有し、前記ドレン水排出管は、前記排水口に繋がる流入開口部が前記ドレンパン部の前記横受水部または前記縦受水部の受水面にそれぞれ開口する軸線方向切口部および半径方向切口部を有するものである。
【０００９】
本発明に係る冷凍サイクル装置は、上記のドレンパンを備えたドレンパンが配置される対象機器が横置きまたは縦置きに設置されるものである。
【発明の効果】
【００１０】
本発明に係るドレンパンおよび冷凍サイクル装置によれば、ドレンパン部の交差させた角部には、横受水部および縦受水部の受水面の両方にわたって排水口が開口されている。排水ソケットは、角部の優角側である外側にて排水口の全体を覆う。このため、ドレンパンを備えたドレンパンが配置される対象機器が横置きまたは縦置きのどちらに設置されても、排水ソケットは、ドレンパン部の横受水部および縦受水部の受水面の両方にわたって開口した排水口の下方に位置する。よって、ドレンパン部の横受水部または縦受水部のどちらか下面となった受水面に回収されたドレン水は、そのドレン水を回収した下面となった受水面に開口した排水口から下方の排水ソケットに完全に排出される。したがって、回収したドレン水がドレンパン部から完全に排出でき、ドレン水がドレンパン部に残留することに起因するカビの発生あるいは部品の腐食といった不具合が防止できる。
【図面の簡単な説明】
【００１１】
【図１】本発明の実施の形態１に係るドレン水の排出方向を横引きした場合のドレンパンを備えた分配器を示す斜視図である。
【図２】本発明の実施の形態１に係るドレン水の排出方向を縦引きした場合のドレンパンを備えた分配器を示す側面図である。
【図３】本発明の実施の形態１に係るドレン水の排出方向を縦引きした場合のドレンパンを示す斜視図である。
【図４】本発明の実施の形態１に係るドレン水の排出方向を縦引きした場合のドレンパンの優角側である外側に取り付けられた排水ソケットを示す斜視図である。
【図５】本発明の実施の形態１に係るドレン水の排出方向を縦引きした場合のドレンパンの断面を示す説明図である。
【図６Ａ】本発明の実施の形態１に係るドレン水の排出方向を横引きした場合のドレンパンの断面を示す説明図である。
【図６Ｂ】本発明の実施の形態１に係るドレン水の排出方向を横引きした場合のドレンパンにおいてドレンパン部に排水ソケットを取り付ける前の状態の断面を示す説明図である。
【図７】本発明の実施の形態１に係るドレンパンを貫通する配管を通した配管取り出し孔の周辺の断面を拡大して示す説明図である。
【図８】本発明の実施の形態２に係る冷凍サイクル装置の回路構成の一例を概略的に示す回路構成図である。
【発明を実施するための形態】
【００１２】
以下、図面に基づいて本発明の実施の形態について説明する。
なお、各図において、同一の符号を付したものは、同一のまたはこれに相当するものであり、これは明細書の全文において共通している。
さらに、明細書全文に示されている構成要素の形態は、あくまで例示であってこれらの記載に限定されるものではない。
【００１３】
実施の形態１．
図１は、本発明の実施の形態１に係るドレン水の排出方向を横引きした場合のドレンパン１０を備えた分配器１を示す斜視図である。図２は、本発明の実施の形態１に係るドレン水の排出方向を縦引きした場合のドレンパン１０を備えた分配器１を示す側面図である。
分配器１は、空気調和装置などの冷凍サイクル装置を構成している少なくとも１台の室外機と複数台の室内機との間に配管２を分岐させるように接続され、配管２を通じて複数台の室内機のそれぞれへ流体を分配するものである。
分配器１は、配管２が横方向に延びる場合に横置きに設置され、配管２が縦方向に延びる場合に縦置きに設置される。
【００１４】
図１に示すように、横置きされた分配器１は、流体を分配する配管２を横方向に延びるように備えている。また、横置きされた分配器１は、最下部に外郭板３を備えている。
横置きされた分配器１は、外郭板３上に、外郭板３にビスなどで固定されたＬ字状のドレンパン１０を備えている。
【００１５】
ドレンパン１０は、横置き型および縦置き型に兼用できる構成のドレンパン部１１を備えている。ドレンパン部１１は、配管２にて発生した露を受水する内側に９０度に折れ曲がった部材である。つまり、ドレンパン部１１は、自身が横置き型となる際に下面である受水面となる横受水部１１ａと、自身が縦置き型となる際に下面である受水面となる縦受水部１１ｂとをＬ字状に交差させて構成されている。ドレンパン部１１は、横受水部１１ａと縦受水部１１ｂとが露を受水する内側とは反対側に２７０度の優角側である外側を有している。
横受水部１１ａは、外郭板３上にビスなどで固定された長く広い平面の板状部材である。横受水部１１ａは、横方向に延びる配管２から発生する露を広い範囲で受水できるように長く広い平面になっている。図１に示す横置きされた分配器１は、配管２から発生する露を下面となった横受水部１１ａを受水面として回収する。
縦受水部１１ｂは、外郭板３に対して直交方向に沿った短く狭い平面の板状部材である。縦受水部１１ｂは、縦方向に延びる配管２から発生する露が配管２の周りの狭い範囲で受水できればよいため短く狭い平面になっている。
なお、横置き型と縦置き型との相対関係は、分配器１の横置きと縦置きとの相対関係と同じであり、横置き状態から９０度回動させた状態が縦置き状態である。横受水部１１ａおよび縦受水部１１ｂの平面の大きさは同じでも逆でも良い。
横受水部１１ａには、ビスなどで横方向に延びる配管２が固定されている。配管２は、ドレンパン部１１の縦受水部１１ｂの面を貫通した配管取り出し孔４に通されており、分配器１の外側で機外配管と接続される。
【００１６】
ドレンパン１０は、ドレンパン部１１に受水したドレン水をドレンパン部１１から排出する排水ソケット１２を備えている。
図１に示す横置きされた分配器１は、排水ソケット１２に接続する機外排水ホース５を横引きするドレン水の排出方向を横引きした状態である。
【００１７】
図２に示す縦置きされた分配器１は、排水ソケット１２に接続する機外排水ホース５を縦引きするドレン水の排出方向を縦引きした状態である。
縦置きされた分配器１は、図１に示す横置きされた分配器１を９０度回動させた状態である。図２に示す縦置きされた分配器１は、配管２から発生する露を下面となった縦受水部１１ｂを受水面として回収する。
【００１８】
図３は、本発明の実施の形態１に係るドレン水の排出方向を縦引きした場合のドレンパン１０を示す斜視図である。なお、図３では、配管２を通す配管取り出し孔４を省略している。
ドレンパン部１１の横受水部１１ａと縦受水部１１ｂとをＬ字状に交差させた角部１１ｃには、横受水部１１ａおよび縦受水部１１ｂのドレン水を受水する受水面の両方にわたって排水口１３が開口されている。すなわち、排水口１３は、横受水部１１ａに形成された部分と縦受水部１１ｂに形成された部分とが繋がってドレンパン部１１の内外に貫通している。
排水口１３は、横受水部１１ａおよび縦受水部１１ｂにそれぞれ矩形状に開口されている。
なお、ドレンパン部１１の横受水部１１ａおよび縦受水部１１ｂには、受水面に対して排水口１３を最低位置にする傾斜を設け、受水面にて回収したドレン水を効率的にドレンパン部１１から排水口１３に排出できるようにしても良い。
【００１９】
排水ソケット１２は、ドレンパン部１１の横受水部１１ａと縦受水部１１ｂとをＬ字状に交差させた角部１１ｃの優角側である外側にて排水口１３の全体を覆う。
排水ソケット１２は、ドレンパン部１１の横受水部１１ａと縦受水部１１ｂとをＬ字状に交差させた角部１１ｃに合わせてＬ字状に形成された２つの座面１２ａ、１２ｂを有している。すなわち、排水ソケット１２は、ドレンパン部１１の横受水部１１ａまたは縦受水部１１ｂにそれぞれ取り付けられる２つの座面１２ａ、１２ｂを有している。
【００２０】
図４は、本発明の実施の形態１に係るドレン水の排出方向を縦引きした場合のドレンパン１０の優角側である外側に取り付けられた排水ソケット１２を示す斜視図である。図５は、本発明の実施の形態１に係るドレン水の排出方向を縦引きした場合のドレンパン１０の断面を示す説明図である。図６Ａは、本発明の実施の形態１に係るドレン水の排出方向を横引きした場合のドレンパン１０の断面を示す説明図である。図６Ｂは、本発明の実施の形態１に係るドレン水の排出方向を横引きした場合のドレンパン１０においてドレンパン部１１に排水ソケット１２を取り付ける前の状態の断面を示す説明図である。
【００２１】
図５、図６Ａに示すように、排水ソケット１２は、分配器１を横置きまたは縦置きのどちらに設置されてもドレンパン部１１のドレン水を受水する横受水部１１ａまたは縦受水部１１ｂのどちらかの受水面より下方に配置され、ドレン水を分配器１の外に流出させるドレン水排出管１２ｃを有している。ドレン水排出管１２ｃは、横受水部１１ａの平面に中心軸の軸線を沿って延出されている。ドレン水排出管１２ｃは、円筒状部材である。ドレン水排出管１２ｃには、機外排水ホース５が接続される。
ドレン水排出管１２ｃは、分配器１を横置きまたは縦置きのどちらに設置されても、ドレンパン部１１のドレン水を受水する受水面より下方に配置されているので、ドレン水がドレンパン部１１に残留することなく完全に排水される。
排水ソケット１２は、ドレン水排出管１２ｃの外側に２つの座面１２ａ、１２ｂが一体化された部品となっている。
なお、ドレン水排出管１２ｃは、分配器１を横置きまたは縦置きのどちらに設置されても、下流端部が上流端部よりも下方に向かうように斜下方向に延出されるものでも良い。また、ドレン水排出管１２ｃは、円筒状部材ではなく、四角筒状部材、三角筒状部材あるいは楕円筒状部材など、管部材であればどのような形状でも良い。ドレン水排出管１２ｃは、上流側半体と下流側半体とで形状が異なっていても良い。たとえば、ドレン水排出管１２ｃは、上流側半体が排水口１３に合わせて四角筒形状をしており、下流側半体が機外排水ホース５を接続し易いように円筒形状をしていても良い。
【００２２】
ドレン水排出管１２ｃは、排水口１３に繋がる流入開口部１４がドレンパン部１１の横受水部１１ａまたは縦受水部１１ｂにそれぞれ対向する軸線方向切口部１４ａおよび半径方向切口部１４ｂを有している。すなわち、軸線方向切口部１４ａは、ドレン水排出管１２ｃの中心軸の軸線方向に切断された切口部である。半径方向切口部１４ｂは、ドレン水排出管１２ｃの半径方向に半円にわたって切断された切口部である。軸線方向切口部１４ａおよび半径方向切口部１４ｂが形成された部分は、半円筒状になっている。
軸線方向切口部１４ａおよび半径方向切口部１４ｂによって開口された流入開口部１４は、ドレンパン部１１の横受水部１１ａと縦受水部１１ｂとをＬ字状に交差させた角部１１ｃを嵌め込むことができる。これにより、ドレンパン部１１の排水口１３とドレン水排出管１２ｃの流入開口部１４とが繋がる。
【００２３】
図４に示すように、排水ソケット１２には、ドレンパン部１１との接触面である２つの座面１２ａ、１２ｂに繋がって１周したシール部材１５を貼り付けている。
シール部材１５は、排水ソケット１２とドレンパン部１１との間にて、排水口１３と排水口１３に繋がるドレン水排出管１２ｃの流入開口部１４との周りを囲っている。
図６Ｂに示すように、シール部材１５を潰しながらドレンパン部１１の横受水部１１ａと縦受水部１１ｂとをＬ字状に交差させた角部１１ｃに排水ソケット１２を取り付ける。シール部材１５が潰されることにより、ドレンパン部１１と排水ソケット１２との隙間が密封され、この隙間からのドレン水の垂れが防止される。
【００２４】
排水ソケット１２は、２つの座面１２ａ、１２ｂのうち一方の座面１２ａがドレンパン部１１にネジ止めにより取り付けられる。
また、排水ソケット１２は、２つの座面１２ａ、１２ｂのうち他方の座面１２ｂが排水口１３に突出する爪部１６ａ、１６ｂをドレンパン部１１に引っ掛けて取り付けられる。
そして、ネジ止めにより取り付けられた一方の座面１２ａ側には、ドレン水排出管１２ｃが横引きされている。
【００２５】
ここで、爪部１６ａ、１６ｂは、ネジ止めにより取り付けられた一方の座面１２ａから他方の座面１２ｂの平面に沿った方向に突出している。爪部１６ａ、１６ｂは、排水口１３の左右の縁部に接触する部分として、左右外側に断面Ｔ字状となるように突出する線状凸部を有している。線状凸部のみが排水口１３の左右の縁部に接触することにより、爪部１６ａ、１６ｂと排水口１３の左右の縁部との間には、隙間が形成されている。また、爪部１６ａ、１６ｂは、ドレンパン部１１の縦受水部１１ｂに突き当たる段部を有している、このため、他方の座面１２ｂが排水口１３に突出する爪部１６ａ、１６ｂをドレンパン部１１に引っ掛けて取り付けられても、縦受水部１１ｂは、他方の座面１２ｂにしっかりと固定され、爪部１６ａ、１６ｂとの間にドレン水を流通させる隙間が形成されている。このため、爪部１６ａ、１６ｂがドレン水の流れを阻害することは無い。これにより、排水口１３から排出されたドレン水が２つの座面１２ａ、１２ｂを流れてドレン水排出管１２ｃの流入開口部１４に至る。
【００２６】
なお、排水ソケット１２の２つの座面１２ａ、１２ｂに対する固定は、両側ともネジ止めでも良いし、両側とも爪部の引掛け形状であっても良い。
ただし、実施の形態１のようにドレンパン部１１の横受水部１１ａ側の一方の座面１２ａがドレンパン部１１にネジ止めにより取り付けられると、機外排水ホース５を横引きする方向に取り回す際に、排水ソケット１２にかかる応力に対する強度を確保することができる。
【００２７】
図７は、本発明の実施の形態１に係るドレンパン１０を貫通する配管２を通した配管取り出し孔４の周辺の断面を拡大して示す説明図である。
図７に示すように、ドレンパン部１１の縦受水部１１ｂには、配管２を通す配管取り出し孔４が設けられている。そして、配管取り出し孔４の周りには、ドレンパン部１１のドレン水を受水する受水面よりも高く盛り上がったカラー１７が設けられている。
カラー１７は、配管取り出し孔４を１周取り囲み、縦受水部１１ｂにビス固定されている。
カラー１７は、配管２に取り付けられたシール部材１８を潰しながら縦受水部１１ｂに固定されることにより、縦受水部１１ｂの配管取り出し孔４からのドレン水の垂れが防止できる。また、カラー１７には、縦受水部１１ｂの受水面よりも盛り上がった高さを設けることにより、ドレン水の配管取り出し孔４への浸入を防止する土手となり、ドレン水は受水面となった縦受水部１１ｂ上にてカラー１７の高さまで溜められ、ドレン水が分配器１のドレンパン１０から漏れることが防止できる。
【００２８】
実施の形態１によれば、ドレンパン１０は、横受水部１１ａと縦受水部１１ｂとをＬ字状に交差させて構成され、横置き型および縦置き型に兼用できるドレンパン部１１を備えている。ドレンパン１０は、ドレンパン部１１に受水したドレン水をドレンパン部１１から排出する排水ソケット１２を備えている。ドレンパン部１１の交差させた角部１１ｃには、横受水部１１ａの受水面および縦受水部１１ｂの受水面の両方にわたって排水口１３が開口されている。排水ソケット１２は、角部１１ｃの優角側である外側にて排水口１３の全体を覆う。
この構成によれば、ドレンパン１０を備えた分配器１が横置きまたは縦置きのどちらに設置されても、排水ソケット１２は、ドレンパン部１１の横受水部１１ａおよび縦受水部１１ｂの受水面の両方にわたって開口した排水口１３の下方に位置する。よって、ドレンパン部１１の横受水部１１ａまたは縦受水部１１ｂのどちらか下面となった受水面に回収されたドレン水は、そのドレン水を回収した下面となった受水面に開口した排水口１３から下方の排水ソケット１２に完全に排出される。したがって、回収したドレン水がドレンパン部１１から完全に排出でき、ドレン水がドレンパン部１１に残留することに起因するカビの発生あるいは部品の腐食といった不具合が防止できる。
【００２９】
実施の形態１によれば、排水ソケット１２は、分配器１を横置きまたは縦置きのどちらに設置されてもドレンパン部１１の受水面より下方に配置され、ドレン水を分配器１の外に流出させるドレン水排出管１２ｃを有している。
この構成によれば、ドレンパン部１１の横受水部１１ａまたは縦受水部１１ｂのどちらか下面となった受水面に回収されたドレン水は、そのドレン水を回収した下面となった受水面に開口した排水口１３から下方の排水ソケット１２に完全に排出される。そして、ドレン水排出管１２ｃが分配器１を横置きまたは縦置きのどちらに設置されてもドレンパン部１１の受水面より下方に配置される。これにより、排水ソケット１２は、ドレン水排出管１２ｃによりドレン水を分配器１の外に流出させられる。
【００３０】
実施の形態１によれば、ドレン水排出管１２ｃは、排水口１３に繋がる流入開口部１４がドレンパン部１１の横受水部１１ａまたは縦受水部１１ｂにそれぞれ対向する軸線方向切口部１４ａおよび半径方向切口部１４ｂを有している。
この構成によれば、ドレンパン部１１の横受水部１１ａおよび縦受水部１１ｂが交差して排水口１３が開口した角部１１ｃがドレン水排出管１２ｃの流入開口部１４に入り込む。これにより、ドレン水排出管１２ｃの排水口１３に繋がる流入開口部１４が排水口１３から下方に流れるドレン水をドレン水排出管１２ｃに案内できる。したがって、排水ソケット１２は、ドレン水排出管１２ｃによりドレン水を分配器１の外に流出させられる。
【００３１】
実施の形態１によれば、排水ソケット１２は、ドレンパン部１１の横受水部１１ａまたは縦受水部１１ｂにそれぞれ取り付けられる２つの座面１２ａ、１２ｂを有している。２つの座面１２ａ、１２ｂのうち一方の座面１２ａは、ドレンパン部１１にネジ止めにより取り付けられている。２つの座面１２ａ、１２ｂのうち他方の座面１２ｂは、排水口１３に突出する爪部１６ａ、１６ｂをドレンパン部１１に引っ掛けて取り付けられている。ネジ止めにより取り付けられた座面１２ａ側には、ドレン水排出管１２ｃが横引きされる。
この構成によれば、排水ソケット１２のネジ止めにより取り付けられた座面１２ａ側が排水ソケット１２にかかる応力が大きいドレン水を横引きする側になる。これにより、ドレン水排出管１２ｃに接続される機外排水ホース５を取り回す際にかかる応力に対する強度が確保できる。したがって、排水ソケット１２の強度が向上し、排水ソケット１２の破損が抑制できる。
【００３２】
実施の形態１によれば、排水ソケット１２とドレンパン部１１との間には、排水口１３と排水口１３に繋がるドレン水排出管１２ｃの流入開口部１４との周りを囲うシール部材１５が設けられている。
この構成によれば、排水ソケット１２とドレンパン部１１との間からドレン水が漏れることが防止できる。
【００３３】
実施の形態１によれば、ドレンパン部１１には、配管２を通す配管取り出し孔４が設けられている。配管取り出し孔４の周りには、ドレンパン部１１の受水面よりも高く盛り上がったカラー１７が設けられている。
この構成によれば、カラー１７が配管取り出し孔４からのドレン水の漏れを防止できる。これにより、配管取り出し孔４からのドレン水の垂れが防止できる。また、ドレン水がカラー１７の高さまでドレンパン１０の受水面上に溜まっても、ドレン水が分配器１の外に漏れることが防止できる。
【００３４】
実施の形態２．
図８は、本発明の実施の形態２に係る冷凍サイクル装置１００の回路構成の一例を概略的に示す回路構成図である。
なお、実施の形態２では、冷凍サイクル装置１００の一例として空気調和装置を例に説明するものとする。また、図８では、冷媒または水などの流体の流れを矢印で示している。
以下の説明において、熱源機２０から分配器１に供給される冷媒または水などの流体をまとめて流体と称するものとする。
【００３５】
冷凍サイクル装置１００は、上述した実施の形態１に係る分配器１を構成の１つとして備えている。
具体的には、図８に示すように、冷凍サイクル装置１００は、１台の熱源機２０と、２台の負荷側機３０ａおよび負荷側機３０ｂと、分配器１と、を備えている。
図８では、熱源機２０が１台の場合を例に示しているが、熱源機２０の台数を特に限定するものではなく、複数台の熱源機２０を分配器１に対して直列または並列に設けるようにしてもよい。また、図８では、負荷側機として負荷側機３０ａおよび負荷側機３０ｂの２台が接続されている場合を例に示しているが、３台以上の負荷側機を分配器１に対して並列に接続してもよい。
【００３６】
熱源機２０は、冷凍サイクル装置１００の用途に応じ、たとえば室外機あるいは室外ユニットとして利用され、流体を介して負荷側機３０ａ、３０ｂに流体を供給するものである。
熱源機２０には、図示しない、圧縮機、絞り装置、熱源側熱交換器および送風機などが収容されている。
【００３７】
これらの要素が、負荷側機３０ａ、３０ｂに収容されている負荷側熱交換器と配管接続される場合に、これらの要素と負荷側熱交換器とにより冷媒回路が形成される。この場合、熱あるいは冷熱が流体である冷媒に蓄えられて熱源機２０から負荷側機３０ａ、３０ｂに供給されることになる。
あるいは、熱源機２０に、熱源側熱交換器の他に別の熱交換器を設け、水などの熱媒体としての流体を介して熱あるいは冷熱を間接的に負荷側機３０ａ、３０ｂに供給するようにしてもよい。この場合に、熱あるいは冷熱が流体である水などに蓄えられて負荷側機３０ａ、３０ｂに供給されることになる。つまり、熱源機２０内で冷媒に蓄えられた熱あるいは冷熱を、別の熱交換器を介して水などの他の流体に伝達し、この流体を負荷側機３０ａ、３０ｂに供給するようにしてもよい。
【００３８】
なお、熱源側熱交換器の態様によっては、送風機ではなく、水または不凍液を循環させるポンプが熱媒体搬送装置として熱源機２０に収容される。
【００３９】
負荷側機３０ａ、３０ｂは、冷凍サイクル装置１００の用途に応じ、たとえば室内機、室内ユニット、あるいは、給湯ユニットとして利用され、流体を介して熱源機２０から供給された熱あるいは冷熱によって負荷側対象である空気または水などを加温または冷却するものである。
【００４０】
負荷側機３０ａ、３０ｂには、負荷側熱交換器および送風機などが収容されている。
なお、負荷側熱交換器の態様によっては、送風機ではなく、水または不凍液を循環させるポンプが熱媒体搬送装置として負荷側機３０ａ、３０ｂに収容される。
また、負荷側機３０ａに収容されている負荷側熱交換器が負荷側熱交換器３１ａである。負荷側機３０ｂに収容されている負荷側熱交換器が負荷側熱交換器３１ｂである。
【００４１】
分配器１は、熱源機２０と負荷側機３０ａ、３０ｂとの間に接続され、熱源機２０から供給された流体を負荷側機３０ａ、３０ｂのそれぞれに分配循環させるものである。
分配器１には、流体が配管２を通じて負荷側機３０ａ、３０ｂに冷熱負荷となるように冷熱を分配循環させる場合に結露して露が発生する。
分配器１には、実施の形態１で説明したドレンパン１０が備えられている。分配器１は、横置きまたは縦置きに設置される。このとき、ドレンパン１０は、ドレンパン部１１の横受水部１１ａまたは縦受水部１１ｂのどちらかが、分配器１の結露が発生する配管２の下方に下面として受水面を構成する。
【００４２】
実施の形態２によれば、冷凍サイクル装置１００は、実施の形態１に記載のドレンパン１０を備えた分配器１が横置きまたは縦置きに設置される。
この構成によれば、分配器１にて、ドレンパン部１１の横受水部１１ａまたは縦受水部１１ｂのどちらか下面となった受水面に回収されたドレン水は、そのドレン水を回収した下面となった受水面に開口した排水口１３から下方の排水ソケット１２に完全に排出される。したがって、回収したドレン水がドレンパン部１１から完全に排出でき、ドレン水がドレンパン部１１に残留することに起因するカビの発生あるいは部品の腐食といった不具合が防止できる。
【００４３】
なお、本発明の実施の形態１、２では、ドレンパン１０を備える冷凍サイクル装置１００の一部の構成を分配器１として説明した。しかし、ドレンパンは、冷凍サイクル装置の一部の構成である、横置きまたは縦置きに設置される室内機などの負荷側機あるいは室外機といった他のドレンパンが配置される対象機器に適用してもよい。この場合にも、ドレンパンは、ドレンパン部の横受水部または縦受水部のどちらかが、ドレンパンが配置される対象機器の露が発生する配管あるいは熱交換器などのドレン水発生箇所の下方に下面として受水面を構成する。
【符号の説明】
【００４４】
１  分配器、２  配管、３  外郭板、４  配管取り出し孔、５  機外排水ホース、１０  ドレンパン、１１  ドレンパン部、１１ａ  横受水部、１１ｂ  縦受水部、１１ｃ  角部、１２  排水ソケット、１２ａ  座面、１２ｂ  座面、１２ｃ  ドレン水排出管、１３  排水口、１４  流入開口部、１４ａ  軸線方向切口部、１４ｂ  半径方向切口部、１５  シール部材、１６ａ  爪部、１６ｂ  爪部、１７  カラー、１８  シール部材、２０  熱源機、３０ａ  負荷側機、３０ｂ  負荷側機、３１ａ  負荷側熱交換器、３１ｂ  負荷側熱交換器、１００  冷凍サイクル装置。
【図１】
0006710279.tif 000002
【図２】
0006710279.tif 000003
【図３】
0006710279.tif 000004
【図４】
0006710279.tif 000005
【図５】
0006710279.tif 000006
【図６Ａ】
0006710279.tif 000007
【図６Ｂ】
0006710279.tif 000008
【図７】
0006710279.tif 000009
【図８】
0006710279.tif 000010